(57)【要約】【課題】浮体上のタンクからタンカーに液化ガスを積み出す稼働率を向上させること。【解決手段】採掘された天然ガスから液化ガスを生成するプラント３と、その液化ガスを貯蔵するタンク５−１〜５−３と、プラント３とタンク５−１〜５−３とを支持する浮体２と、浮体２のうちの互いに異なる複数の位置にそれぞれ配置される複数のローディングアーム６−１〜６−３とを備えている。複数のローディングアーム６−１〜６−３は、浮体２に係船されるタンカーにタンク５−１〜５−３からその液化ガスを輸送する。このような浮体式液化天然ガス生産貯蔵積出設備１は、複数のローディングアーム６−１〜６−３のうちの適切な位置に配置されているローディングアームを介してタンク５−１〜５−３からタンカーに液化ガスを輸送することができる。【選択図】図１
2011235675.tif 000002
【特許請求の範囲】
【請求項１】
採掘された天然ガスから液化ガスを生成するプラントと、
前記液化ガスを貯蔵するタンクと、
前記プラントと前記タンクとを支持する浮体と、
前記浮体のうちの互いに異なる複数の位置にそれぞれ配置される複数のローディングアームとを具備し、
前記複数のローディングアームは、前記浮体に係船されるタンカーに前記タンクから前記液化ガスを輸送する
浮体式液化天然ガス生産貯蔵積出設備。
【請求項２】
請求項１において、
前記複数のローディングアームは、
前記浮体の片舷に配置される船首側ローディングアームと、
前記片舷のうちの前記船首側ローディングアームより船尾の側に配置される船尾側ローディングアームとを含む
浮体式液化天然ガス生産貯蔵積出設備。
【請求項３】
請求項２において、
前記複数のローディングアームは、前記浮体のうちの前記片舷の反対側の舷に配置される他のローディングアームをさらに含む
浮体式液化天然ガス生産貯蔵積出設備。
【請求項４】
請求項１において、
前記複数のローディングアームは、
前記浮体の右舷に配置される右舷側ローディングアームと、
前記浮体の左舷に配置される左舷側ローディングアームとを含む
浮体式液化天然ガス生産貯蔵積出設備。
【請求項５】
採掘された天然ガスから液化ガスを生成するプラントと、
前記液化ガスを貯蔵するタンクと、
前記プラントと前記タンクとを支持する浮体と、
前記浮体のうちの互いに異なる複数の位置にそれぞれ配置される複数のローディングアーム
とを具備する浮体式液化天然ガス生産貯蔵積出設備
を用いて実行される液化天然ガス生産貯蔵積出方法であり、
前記複数のローディングアームのうちの第１ローディングアームを介して前記タンクから前記浮体に係船されるタンカーに前記液化ガスを輸送するステップと、
前記第１ローディングアームを介して前記液化ガスを前記タンカーに輸送している最中に、前記複数のローディングアームのうちの第２ローディングアームを介して前記タンクから前記タンカーに前記液化ガスを輸送するステップ
とを具備する液化天然ガス生産貯蔵積出方法。
【請求項６】
採掘された天然ガスから液化ガスを生成するプラントと、
前記液化ガスを貯蔵するタンクと、
前記プラントと前記タンクとを支持する浮体と、
前記浮体のうちの互いに異なる複数の位置にそれぞれ配置される複数のローディングアーム
とを具備する浮体式液化天然ガス生産貯蔵積出設備
を用いて実行される液化天然ガス生産貯蔵積出方法であり、
前記複数のローディングアームのうちの第１ローディングアームを介して前記タンクから前記浮体に係船される第１タンカーに前記液化ガスを輸送するステップと、
前記第１ローディングアームを介して前記液化ガスを前記第１タンカーに輸送している最中に、前記複数のローディングアームのうちの第２ローディングアームを介して前記タンクから前記浮体に係船される第２タンカーに前記液化ガスを輸送するステップ
とを具備する液化天然ガス生産貯蔵積出方法。
【請求項７】
請求項６において、
前記第１タンカーは、前記浮体の左舷に係船された状態で、前記第１ローディングアームを介して前記液化ガスが供給され、
前記第２タンカーは、前記浮体の右舷に係船された状態で、前記第２ローディングアームを介して前記液化ガスが供給される
液化天然ガス生産貯蔵積出方法。
【発明の詳細な説明】
【技術分野】
【０００１】
本発明は、浮体式液化天然ガス生産貯蔵積出設備に関し、特に、海洋上で天然ガスから液化ガスを生産し、その液化ガスを貯蔵し、その液化ガスをタンカーに積み出す浮体式液化天然ガス生産貯蔵積出設備および液化天然ガス生産貯蔵積出方法に関する。
【背景技術】
【０００２】
海洋上で、天然ガスから液化ガスを生産し、その液化ガスを貯蔵し、その液化ガスをタンカーに積み出す浮体式液化天然ガス生産貯蔵積出設備が知られている。このような浮体式液化天然ガス生産貯蔵積出設備は、ローディングアームを備えている。そのローディングアームは、屈曲可能である管路から形成され、その液化ガスを海上輸送するタンカーがその浮体式液化天然ガス生産貯蔵積出設備に係船されているときに、その浮体式液化天然ガス生産貯蔵積出設備からそのタンカーにその液化ガスを供給する。その浮体式液化天然ガス生産貯蔵積出設備は、そのローディングアームの使い勝手が良いことが望まれ、その液化ガスをそのタンカーに積み出す稼働率を向上させることが望まれている。
【０００３】
特表２００９−５２９４５６号公報には、液化天然ガスの船上再ガス化のための方法が開示されている。その再ガス化法は、陸上へガスとして送るため液体天然ガスを沖合再ガス化するための方法において、ＬＮＧを配送船から受取り船へ船舶間積み替え場所で荷降ろしすること；前記受取り船を自身の動力で前記船舶間積み替え場所から、前記船舶間積み替え場所よりも海岸に近い係留場所へ移動させること；前記受取り船上の再ガス化施設を用いてＬＮＧを再ガス化し、前記係留場所で天然ガスを形成すること；及び前記天然ガスを、最終的ユーザーへ送るための陸上ガス分配施設へ移送すること；を含んでいる。
【先行技術文献】
【特許文献】
【０００４】
【特許文献１】特表２００９−５２９４５６号公報
【発明の概要】
【発明が解決しようとする課題】
【０００５】
本発明の課題は、より使い勝手がよい浮体式液化天然ガス生産貯蔵積出設備を提供することにある。
本発明の他の課題は、浮体上のタンクからタンカーに液化ガスを積み出す稼働率を向上させる浮体式液化天然ガス生産貯蔵積出設備および液化天然ガス生産貯蔵積出方法を提供することにある。
【課題を解決するための手段】
【０００６】
以下に、発明を実施するための形態・実施例で使用される符号を括弧付きで用いて、課題を解決するための手段を記載する。この符号は、特許請求の範囲の記載と発明を実施するための形態・実施例の記載との対応を明らかにするために付加されたものであり、特許請求の範囲に記載されている発明の技術的範囲の解釈に用いてはならない。
【０００７】
本発明による浮体式液化天然ガス生産貯蔵積出設備（１）（６１）は、採掘された天然ガスから液化ガスを生成するプラント（３）（６３）と、その液化ガスを貯蔵するタンク（５−１〜５−３）（６５−１〜６５−３）と、プラント（３）（６３）とタンク（５−１〜５−３）（６５−１〜６５−３）とを支持する浮体（２）（６２）と、浮体（２）（６２）のうちの互いに異なる複数の位置にそれぞれ配置される複数のローディングアーム（６−１〜６−３）（６６−１〜６６−３）とを備えている。複数のローディングアーム（６−１〜６−３）（６６−１〜６６−３）は、浮体（２）（６２）に係船されるタンカー（４１、４５）にタンク（５−１〜５−３）（６５−１〜６５−３）からその液化ガスを輸送する。このような浮体式液化天然ガス生産貯蔵積出設備（１）（６１）は、複数のローディングアーム（６−１〜６−３）（６６−１〜６６−３）のうちの適切な位置に配置されているローディングアームを介してタンク（５−１〜５−３）（６５−１〜６５−３）からタンカー（４１、４５）に液化ガスを輸送することができる。
【０００８】
複数のローディングアーム（６−１〜６−３）（６６−１〜６６−３）は、浮体（２）（６２）の片舷に配置される船首側ローディングアーム（６−２）（６６−２）と、その片舷のうちの船首側ローディングアーム（６−２）（６６−２）より船尾の側に配置される船尾側ローディングアーム（６−３）（６６−３）とを含んでいる。このような浮体式液化天然ガス生産貯蔵積出設備（１）（６１）は、浮体（２）（６２）のうちのその片舷に係船されたタンカー（４１）に液化ガスを輸送するときに、複数のローディングアーム（６−１〜６−３）（６６−１〜６６−３）のうちのタンカー（４１）が備えている接続口（４３−１）に接続しやすいローディングアームを介してタンカー（４１）に液化ガスを輸送することができ、または、タンカー（４１）に液化ガスを輸送することができる係船位置の範囲を拡大することができる。
【０００９】
複数のローディングアーム（６−１〜６−３）（６６−１〜６６−３）は、浮体（２）（６２）のうちのその片舷の反対側の舷に配置される他のローディングアーム（６−１）をさらに含んでいる。このような浮体式液化天然ガス生産貯蔵積出設備（１）（６１）は、さらに、浮体（２）（６２）の右舷に係船されるタンカー（４１、４５）に液化ガスを輸送したり、浮体（２）（６２）の左舷に係船されるタンカー（４１、４５）に液化ガスを輸送したりすることができる。
【００１０】
複数のローディングアーム（６−１〜６−３）（６６−１〜６６−３）は、浮体（２）（６２）の右舷に配置される右舷側ローディングアーム（６−２）と、浮体（２）（６２）の左舷に配置される左舷側ローディングアーム（６−１）とを含んでいる。このような浮体式液化天然ガス生産貯蔵積出設備（１）（６１）は、浮体（２）（６２）の右舷に係船されるタンカー（４１）に液化ガスを輸送したり、浮体（２）（６２）の左舷に係船されるタンカー（４５）に液化ガスを輸送したりすることができる。
【００１１】
本発明による液化天然ガス生産貯蔵積出方法は、採掘された天然ガスから液化ガスを生成するプラント（３）（６３）と、その液化ガスを貯蔵するタンク（５−１〜５−３）（６５−１〜６５−３）と、プラント（３）（６３）とタンク（５−１〜５−３）（６５−１〜６５−３）とを支持する浮体（２）（６２）と、浮体（２）（６２）のうちの互いに異なる複数の位置にそれぞれ配置される複数のローディングアーム（６−１〜６−３）（６６−１〜６６−３）とを備えている浮体式液化天然ガス生産貯蔵積出設備（１）（６１）を用いて実行される。本発明による液化天然ガス生産貯蔵積出方法は、複数のローディングアーム（６−１〜６−３）（６６−１〜６６−３）のうちの第１ローディングアーム（６−２）（６６−２）を介してタンク（５−１〜５−３）（６５−１〜６５−３）から浮体（２）（６２）に係船されるタンカー（４１）にその液化ガスを輸送するステップと、第１ローディングアーム（６−２）（６６−２）を介してその液化ガスをタンカー（４１）に輸送している最中に、複数のローディングアーム（６−１〜６−３）（６６−１〜６６−３）のうちの第２ローディングアーム（６−３）（６６−３）を介してタンク（５−１〜５−３）（６５−１〜６５−３）からタンカー（４１）にその液化ガスを輸送するステップとを備えている。このような液化天然ガス生産貯蔵積出方法によれば、１つのローディングアームだけを介してタンク（５−１〜５−３）（６５−１〜６５−３）からタンカー（４１）にその液化ガスを輸送する他の液化天然ガス生産貯蔵積出方法に比較して、浮体式液化天然ガス生産貯蔵積出設備（１）（６１）は、タンク（５−１〜５−３）（６５−１〜６５−３）からタンカー（４１）に液化ガスをより高速に輸送することができ、稼働率を向上させることができる。
【００１２】
本発明による液化天然ガス生産貯蔵積出方法は、採掘された天然ガスから液化ガスを生成するプラント（３）（６３）と、その液化ガスを貯蔵するタンク（５−１〜５−３）（６５−１〜６５−３）と、プラント（３）（６３）とタンク（５−１〜５−３）（６５−１〜６５−３）とを支持する浮体（２）（６２）と、浮体（２）（６２）のうちの互いに異なる複数の位置にそれぞれ配置される複数のローディングアーム（６−１〜６−３）（６６−１〜６６−３）とを備えている浮体式液化天然ガス生産貯蔵積出設備（１）（６１）を用いて実行される。本発明による液化天然ガス生産貯蔵積出方法は、複数のローディングアーム（６−１〜６−３）（６６−１〜６６−３）のうちの第１ローディングアーム（６−１）（６６−１）を介してタンク（５−１〜５−３）（６５−１〜６５−３）から浮体（２）（６２）に係船される第１タンカー（４５）にその液化ガスを輸送するステップと、第１ローディングアーム（６−１）（６６−１）を介してその液化ガスを第１タンカー（４５）に輸送している最中に、複数のローディングアーム（６−１〜６−３）（６６−１〜６６−３）のうちの第２ローディングアーム（６−２）（６６−２）を介してタンク（５−１〜５−３）（６５−１〜６５−３）から浮体（２）（６２）に係船される第２タンカー（４１）にその液化ガスを輸送するステップとを備えている。このような液化天然ガス生産貯蔵積出方法によれば、浮体式液化天然ガス生産貯蔵積出設備（１）（６１）は、複数のタンカー（４１、４５）にタンク（５−１〜５−３）（６５−１〜６５−３）から液化ガスを同時に輸送することができ、稼働率を向上させることができる。
【００１３】
第１タンカー（４５）が浮体（２）（６２）の左舷に係船された状態で第１ローディングアーム（６−１）（６６−１）を介してその液化ガスが供給されるときに、第２タンカー（４１）は、浮体（２）（６２）の右舷に係船された状態で、第２ローディングアーム（６−２）（６６−２）を介してその液化ガスが供給されることが好ましい。
【発明の効果】
【００１４】
本発明による浮体式液化天然ガス生産貯蔵積出設備は、ローディングアームの使い勝手が良く、その結果、本発明による液化天然ガス生産貯蔵積出方法は、浮体上のタンクからタンカーに液化ガスを積み出す稼働率を向上させることができる。
【図面の簡単な説明】
【００１５】
【図１】図１は、本発明による浮体式液化天然ガス生産貯蔵積出設備を示す平面図である。
【図２】図２は、本発明による浮体式液化天然ガス生産貯蔵積出設備を示す正面図である。
【図３】図３は、液化ガスを輸送するタンカーを示し、浮体式液化天然ガス生産貯蔵積出設備からタンカーに液化ガスを供給するときの状態を示す平面図である。
【図４】図４は、本発明による他の浮体式液化天然ガス生産貯蔵積出設備を示す平面図である。
【図５】図５は、本発明による他の浮体式液化天然ガス生産貯蔵積出設備を示す正面図である。
【発明を実施するための形態】
【００１６】
図面を参照して、本発明による浮体式液化天然ガス生産貯蔵積出設備の実施の形態を記載する。その浮体式液化天然ガス生産貯蔵積出設備１は、図１に示されているように、浮体２とプラント３と複数の液化ガスタンク５−１〜５−３と複数のローディングアーム６−１〜６−３と居住区７とヘリポート８と複数の救命艇９−１〜９−２とを備えている。浮体２は、海洋に浮かぶ船体を形成し、プラント３と複数の液化ガスタンク５−１〜５−３と複数のローディングアーム６−１〜６−３と居住区７とヘリポート８と複数の救命艇９−１〜９−２とをその海洋上に支持している。
【００１７】
プラント３は、ガス田から採掘された天然ガスから液化ガスを生成する。すなわち、プラント３は、前処理設備と液化設備とを備え、または、液化設備のみを備えている。その前処理設備は、セパレータと酸性ガス除去設備と脱湿設備と水銀除去設備とを備えている。そのセパレータは、その天然ガスからコンセンデートと水とを除去することにより、第１天然ガスを生成する。その酸性ガス除去設備は、その第１天然ガスから酸性ガスを除去することにより、第２天然ガスを生成する。その酸性ガスとしては、二酸化炭素と硫化水素とが例示される。その脱湿設備は、その第２天然ガスから水分を完全に除去することにより、第３天然ガスを生成する。その水銀除去設備は、その天然ガスに水銀が含まれているときに、その第３天然ガスから水銀を除去することにより、第４天然ガスを生成する。その水銀を除去する方法としては、炭素吸着法が例示される。
【００１８】
その液化設備は、熱交換器と圧縮機と動力装置とを備えている。その動力装置は、その圧縮機を駆動する動力を生成し、たとえば、ガスタービンから形成され、または、モータと発電設備とから形成されている。その液化設備は、その第４天然ガスを−１６２℃以下に冷却することにより、その液化ガスを生成する。その液化設備は、その天然ガスに水銀が含まれていないときに、その第３天然ガスを−１６２℃以下に冷却することにより、その液化ガスを生成する。その冷却する方法としては、カスケード方式と混合冷媒方式と窒素冷媒方式とが例示される。そのカスケード方式は、複数の段階に分けて液化対象ガスを冷却・液化する方法を示している。その複数の段階では、互いに異なる複数の冷媒がそれぞれ使用される。その混合冷媒方式は、混合した冷媒により液化対象ガスを冷却・液化する方法である。その窒素冷媒方式は、冷却した窒素により液化対象ガスを冷却・液化する方法である。なお、液化設備の一部を船内に配置する場合もある。
【００１９】
なお、プラント３は、その前処理設備を省略することもできる。このとき、その液化設備は、その天然ガスを−１６２℃以下に冷却することにより、その液化ガスを生成する。
【００２０】
複数の液化ガスタンク５−１〜５−３は、それぞれ、浮体２と別個の支持構造を備え、球形に形成され周囲を断熱材で囲ってあるモス独立球形タンクに形成されている。複数の液化ガスタンク５−１〜５−３は、プラント３により生成された液化ガスを低温に保冷することにより、その液化ガスを液体の状態で貯蔵する。なお、液化ガスタンク５−１〜５−３は、モス独立球形タンクと異なる他の種類のタンクに置換されることもできる。そのタンクとしては、独立方形タンクとメンブレンタンクとが例示される。その独立方形タンクは、浮体２と別個の支持構造を備え、直方体状に形成され、その液化ガスを低温に保冷することにより、その液化ガスを液体の状態で貯蔵する。そのメンブレンタンクは、浮体２の内側に支持された断熱材とタンク内部とを隔離するメンブレンを備え、直方体状に形成され、その液化ガスを低温に保冷することにより、その液化ガスを液体の状態で貯蔵する。
【００２１】
複数のローディングアーム６−１〜６−３の各ローディングアーム６−ｊ（ｊ＝１，２，３）は、屈曲可能である管路とその管路の一端を移動させるアクチュエータとを備えている。その管路の他端は、液化ガスタンク５−１〜５−３に接続されている。ローディングアーム６−ｊは、その液化ガスを輸送するタンカーが浮体式液化天然ガス生産貯蔵積出設備１に係船されているときに、その管路の一端をそのタンカーに接続し、その管路を介して複数の液化ガスタンク５−１〜５−３により貯蔵された液化ガスをそのタンカーに供給する。
【００２２】
居住区７は、浮体式液化天然ガス生産貯蔵積出設備１の乗員が待機する建家を形成している。ヘリポート８は、ヘリコプターが離発着する離着陸場を形成している。そのヘリコプターは、浮体式液化天然ガス生産貯蔵積出設備１の乗員が浮体式液化天然ガス生産貯蔵積出設備１から退避することに利用される。複数の救命艇９−１〜９−２は、浮体式液化天然ガス生産貯蔵積出設備１の乗員が浮体式液化天然ガス生産貯蔵積出設備１から退避することに利用される。
【００２３】
浮体２は、船首方向１０に長い形状に形成され、船首部分１１とタンク部分１２と中央部分１４とプラント部分１５と船尾部分１６とから形成されている。船首部分１１は、浮体２の船首を形成し、浮体２のうちの船首方向１０の端を形成している船尾部分１６は、浮体２の船尾を形成し、浮体２のうちの船首方向１０の反対方向の端を形成しているタンク部分１２は、船首部分１１と船尾部分１６との間に配置され、船首部分１１に接合されている。中央部分１４は、タンク部分１２と船尾部分１６との間に配置され、タンク部分１２に接合されている。プラント部分１５は、中央部分１４と船尾部分１６との間に配置され、中央部分１４に接合され、船尾部分１６に接合されている。
【００２４】
プラント３は、プラント部分１５に配置されている。なお、プラント３は、一部が中央部分１４に配置されることもできる。複数の液化ガスタンク５−１〜５−３は、タンク部分１２に配置されている。ローディングアーム６−１は、浮体２の左舷のうちのタンク部分１２に配置されている。ローディングアーム６−２は、浮体２の右舷のうちのタンク部分１２に配置されている。ローディングアーム６−３は、浮体２のうちのローディングアーム６−２の船尾側に配置され、浮体２の右舷のうちの中央部分１４に配置されている。居住区７とヘリポート８と複数の救命艇９−１〜９−２とは、船首部分１１に配置されている。
【００２５】
浮体式液化天然ガス生産貯蔵積出設備１は、図示されていない係留システムをさらに備えている。その係留システムは、船首部分１１に配置されている。その係留システムは、一点係留システムを使用し、一端が海底に固定された係留索の他端を浮体２の船首部分１１に接続することにより、浮体２を海底に係留する。その一点係留システムとしては、内部タレット方式や外部タレット方式が例示される。その内部タレット方式は、浮体２に対してその係留索が回転可能にその係留索を船首部分１１に接続するタレットが浮体２の内部に配置される係留システムである。その外部タレット方式は、そのタレットが浮体２の外部に配置される係留システムである。浮体式液化天然ガス生産貯蔵積出設備１は、このような一点係留システムにより係留されることにより、風波による外力の影響や動揺を低減することができる。その係留システムには、一点係留システムの他に、多点係留システムもある。
【００２６】
浮体式液化天然ガス生産貯蔵積出設備１は、さらに、複数のエスケープルート１７−１〜１７−２をさらに備えている。エスケープルート１７−１は、浮体２の左舷に沿って配置されている。エスケープルート１７−２は、浮体２の右舷に沿って配置されている。救命艇６９−１は、船首部分１１の左舷に配置され、エスケープルート１７−１の船首部分１１の側の端に接続されている。救命艇６９−２は、船首部分１１の右舷に配置され、エスケープルート１７−２の船首部分１１の側の端に接続されている。
【００２７】
浮体式液化天然ガス生産貯蔵積出設備１は、さらに、図２に示されているように、ポンプルーム２２とマシナリールーム２３とコンデンセートタンク２４とバラストタンク２５とを備えている。
【００２８】
マシナリールーム２３は、プラント３及び浮体２で消費される複数の用役をそれぞれ供給する複数の用役設備を備えている。たとえば、マシナリールーム２３は、電力供給設備と冷却水設備などを備えている。その電力供給設備は、プラント３及び浮体２で消費される電力を生成する。その冷却水設備は、プラント３で消費される冷却水を生成する。
【００２９】
ポンプルーム２２は、プラント３及び浮体２で消費される用役を供給するための用役設備などが配置されている。
【００３０】
コンデンセートタンク２４は、プラント３により生産されるコンデンセートを貯蔵する。バラストタンク２５は、浮体２の重量を増したり重量のバランスを取ったり曲げモーメントを軽減したりするためのバラストを積み込む。
【００３１】
浮体２は、さらに、上甲板２１と下側甲板２０とを備えている。上甲板２１は、水平面に沿う板状に形成され、浮体２の上部の概ね全体にわたって配置され、平坦な床を形成している。下側甲板２０は、水平面に沿う板状に形成され、上甲板２１の概ね全体の直下に配置され、平坦な床を形成している。プラント３は、上甲板２１のうちのプラント部分１５を構成する部分の上に配置されている。ローディングアーム６−１とローディングアーム６−２とは、それぞれ、上甲板２１のうちのタンク部分１２を構成する部分の上に配置されている。ローディングアーム６−３は、上甲板２１のうちの中央部分１４を構成する部分の上に配置されている。
【００３２】
居住区７とヘリポート８とは、船首部分１１の上甲板２１の上に配置されている。マシナリールーム２３とコンデンセートタンク２４とは、プラント部分１５の上甲板２１の下に配置され、プラント部分１５に支持されている。ポンプルーム２２とバラストタンク２５とは、中央部分１４の上甲板２１の下に配置され、中央部分１４に支持されている。液化ガスタンク５−１〜５−３は、それぞれ、タンク部分１２の上甲板２１の下と上とに配置され、タンク部分１２に支持されている。
【００３３】
複数のエスケープルート１７−１〜１７−２の各エスケープルート１７−ｉ（ｉ＝１，２）は、プラント側エスケープルート２６−ｉとタンク側エスケープルート２７−ｉと階段３１−ｉと建家３２−ｉと階段３４−ｉと建家３５−ｉとを備えている。
【００３４】
プラント側エスケープルート２６−ｉは、浮体２のうちの船尾部分１６とプラント部分１５と中央部分１４とに配置され、船尾部分１６から中央部分１４までの通路を形成している。プラント側エスケープルート２６−１〜２６−２は、下側甲板２０の上に配置され、上甲板２１の下に配置され、浮体２の内部に形成されている。すなわち、上甲板２１は、プラント側エスケープルート２６−１〜２６−２とプラント３とを隔離している。
【００３５】
タンク側エスケープルート２７−ｉは、浮体２のうちの中央部分１４とタンク部分１２と船首部分１１とに配置され、中央部分１４から船首部分１１までの通路を形成している。タンク側エスケープルート２７−１〜２７−２は、上甲板２１の上に配置され、浮体２の外部に形成されている。このため、タンク側エスケープルート２７−１〜２７−２を通過する乗員は、プラント３を目視することができる。
【００３６】
階段３１−ｉは、中央部分１４に配置され、プラント側エスケープルート２６−ｉと上甲板２１との間を乗員が移動することができるように、プラント側エスケープルート２６−ｉと上甲板２１とを接続している。建家３２−ｉは、中央部分１４の上甲板２１の上に配置されている。建家３２−ｉは、階段３１−ｉとプラント側エスケープルート２６−ｉとが雨風に曝されないように、建家３２−ｉの内部に階段３１−ｉが配置されるように形成されている。
【００３７】
階段３４−ｉは、船尾部分１６に配置され、プラント側エスケープルート２６−ｉと上甲板２１との間を乗員が移動することができるように、プラント側エスケープルート２６−ｉと上甲板２１とを接続している。建家３５−ｉは、船尾部分１６の上甲板２１の上に配置されている。建家３５−ｉは、階段３４−ｉとプラント側エスケープルート２６−ｉとが雨風に曝されないように、建家３５−ｉの内部に階段３４−ｉが配置されるように形成されている。
【００３８】
プラント側エスケープルート２６−１〜２６−２は、さらに、マシナリールーム２３にいる乗員がプラント側エスケープルート２６−１〜２６−２に移動することができるように、マシナリールーム２３に接続されている。
【００３９】
浮体式液化天然ガス生産貯蔵積出設備１の乗員は、浮体式液化天然ガス生産貯蔵積出設備１に火災等に例示される事故が発生したときに、エスケープルート１７−１〜１７−２を通って、居住区７とヘリポート８と複数の救命艇９−１〜９−２とに避難する。プラント３は、液化ガスタンク５−１〜５−３に比較して、火災または爆発が発生する確率が高い。このような浮体式液化天然ガス生産貯蔵積出設備１によれば、乗員は、プラント側エスケープルート２６−１〜２６−２を通過するときに、プラント３に発生した火災または爆発による火炎や爆風が上甲板２１により遮蔽され、その火炎や爆風をより確実に避けることができる。乗員は、さらに、タンク側エスケープルート２７−１〜２７−２を通過するときに、プラント３に発生した火災を目視により確認することができる。
【００４０】
図３は、液化ガスを輸送するタンカーを示している。そのタンカー４１は、複数のタンク４２−１〜４２−４と接続口４３−１〜４３−２と係船索４４とを備えている。複数のタンク４２−１〜４２−４は、それぞれ、液化ガスを低温に保冷することにより、その液化ガスを液体の状態で貯蔵する。係船索４４は、タンカー４１を浮体式液化天然ガス生産貯蔵積出設備１に係船するために利用される。接続口４３−１〜４３−２は、それぞれ、管路を介して複数のタンク４２−１〜４２−４に接続されている。タンカー４１は、浮体式液化天然ガス生産貯蔵積出設備１に係船されているときに、接続口４３−１〜４３−２にローディングアームが接続されることにより、複数のタンク４２−１〜４２−４に液化ガスが供給され、または、複数のタンク４２−１〜４２−４から液化ガスが取り出される。すなわち、タンカー４１は、接続口４３−１〜４３−２にローディングアーム６−１〜６−３が接続されることにより、浮体式液化天然ガス生産貯蔵積出設備１の液化ガスタンク５−１〜５−３から複数のタンク４２−１〜４２−４に液化ガスが供給される。
【００４１】
図３は、液化ガスを輸送する他のタンカーをさらに示している。そのタンカー４５は、複数のタンク４６−１〜４６−４と接続口４７−１〜４７−２と係船索４８とを備えている。複数のタンク４６−１〜４６−４は、それぞれ、液化ガスを低温に保冷することにより、その液化ガスを液体の状態で貯蔵する。係船索４８は、タンカー４５を浮体式液化天然ガス生産貯蔵積出設備１に係船するために利用される。接続口４７−１〜４７−２は、それぞれ、管路を介して複数のタンク４６−１〜４６−４に接続されている。タンカー４５は、浮体式液化天然ガス生産貯蔵積出設備１に係船されているときに、接続口４７−１〜４７−２にローディングアームが接続されることにより、複数のタンク４６−１〜４６−４に液化ガスが供給され、または、複数のタンク４６−１〜４６−４から液化ガスが取り出される。すなわち、タンカー４５は、接続口４７−１〜４７−２にローディングアーム６−１〜６−３が接続されることにより、浮体式液化天然ガス生産貯蔵積出設備１の液化ガスタンク５−１〜５−３から複数のタンク４６−１〜４６−４に液化ガスが供給される。
【００４２】
タンカー４５のうちの接続口４７−１〜４７−２が配置される位置は、タンカー４１のうちの接続口４３−１〜４３−２が配置される位置と異なっている。すなわち、タンカーのうちの接続口が配置される位置は、タンカーごとに異なっていることがある。
【００４３】
本発明による液化天然ガス生産貯蔵積出方法は、浮体式液化天然ガス生産貯蔵積出設備１を用いて実行される。浮体式液化天然ガス生産貯蔵積出設備１は、所定の海域に係留されているときに、海底のガス田から採掘された天然ガスが供給される。浮体式液化天然ガス生産貯蔵積出設備１は、プラント３がその天然ガスからコンデンセートと液化ガスとを生成し、そのコンデンセートをコンデンセートタンク２４に貯蔵し、その液化ガスを液化ガスタンク５−１〜５−３に貯蔵する。
【００４４】
浮体式液化天然ガス生産貯蔵積出設備１は、浮体式液化天然ガス生産貯蔵積出設備１の右舷の所定の位置にタンカー４１が係船されたときに、ローディングアーム６−２を接続口４３−１に接続し、ローディングアーム６−３を接続口４３−２に接続する。次いで、浮体式液化天然ガス生産貯蔵積出設備１は、ローディングアーム６−２を介して液化ガスをタンカー４１の複数のタンク４２−１〜４２−４に供給する。浮体式液化天然ガス生産貯蔵積出設備１は、さらに、ローディングアーム６−２を介して液化ガスを複数のタンク４２−１〜４２−４に供給している最中に、ローディングアーム６−３を介して液化ガスを複数のタンク４２−１〜４２−４にさらに供給する。
【００４５】
このような動作によれば、浮体式液化天然ガス生産貯蔵積出設備１は、複数のローディングアーム６−１〜６−３のうちの１つのローディングアームを介してタンカー４１に液化ガスを積み出す他の動作に比較して、タンカー４１に液化ガスをより高速に積み出すことができる。この結果、本発明による液化天然ガス生産貯蔵積出方法は、浮体式液化天然ガス生産貯蔵積出設備１からタンカーに液化ガスを積み出す作業の稼働率を向上させることができる。
【００４６】
浮体式液化天然ガス生産貯蔵積出設備１は、さらに、浮体式液化天然ガス生産貯蔵積出設備１の右舷の所定の位置からずれてタンカー４１が係船された場合に、ローディングアーム６−２が接続口４３−１に接続されることができないで、かつ、ローディングアーム６−３が接続口４３−２に接続されることができないことがある。この場合に、浮体式液化天然ガス生産貯蔵積出設備１は、ローディングアーム６−２が接続口４３−２に接続することができるときに、ローディングアーム６−２を接続口４３−２に接続し、ローディングアーム６−２を介して液化ガスを複数のタンク４２−１〜４２−４に供給する。または、浮体式液化天然ガス生産貯蔵積出設備１は、ローディングアーム６−３が接続口４３−１に接続することができるときに、ローディングアーム６−３を接続口４３−１に接続し、ローディングアーム６−３を介して液化ガスを複数のタンク４２−１〜４２−４に供給する。
【００４７】
このような動作によれば、浮体式液化天然ガス生産貯蔵積出設備１は、片舷にローディングアームを１つだけ備える他の浮体式液化天然ガス生産貯蔵積出設備に比較して、タンカーに液化ガスを積み出すときに、そのタンカーが係船する位置の許容範囲を拡大することができ、そのタンカーをより容易に、より強固な係船状態で係船させることができる。この結果、本発明による液化天然ガス生産貯蔵積出方法は、浮体式液化天然ガス生産貯蔵積出設備１からタンカーに液化ガスを積み出す作業の稼働率を向上させることができる。
【００４８】
浮体式液化天然ガス生産貯蔵積出設備１は、接続口が配置される位置がタンカー４１と異なる他のタンカーが浮体式液化天然ガス生産貯蔵積出設備１の右舷に係船された場合に、ローディングアーム６−２〜６−３のうちのその接続口に接続することができるローディングアームを選択し、その選択されたローディングアーム介してそのタンカーに液化ガスを積み出す。このような動作によれば、浮体式液化天然ガス生産貯蔵積出設備１は、接続口が配置される位置が互いに異なる様々なタンカーに積み出すことができ、好ましい。
【００４９】
浮体式液化天然ガス生産貯蔵積出設備１は、浮体式液化天然ガス生産貯蔵積出設備１の左舷の所定の位置にタンカー４５が係船されたときに、ローディングアーム６−１を接続口４７−２に接続する。次いで、浮体式液化天然ガス生産貯蔵積出設備１は、ローディングアーム６−１を介して液化ガスをタンカー４５の複数のタンク４６−１〜４６−４に供給する。すなわち、浮体式液化天然ガス生産貯蔵積出設備１は、タンカーに液化ガスを積み出すときに、そのタンカーを片舷のみに係船させる必要がなく、片舷にだけローディングアームをだけ備える他の浮体式液化天然ガス生産貯蔵積出設備に比較して、そのタンカーをより容易に係船させることができる。
【００５０】
浮体式液化天然ガス生産貯蔵積出設備１は、さらに、浮体式液化天然ガス生産貯蔵積出設備１の右舷に係船されたタンカー４１に液化ガスを積み出す作業をしている最中に、タンカー４５を左舷の所定の位置に係船する作業を実行することができ、ローディングアーム６−１を介して液化ガスをタンカー４５に積み出すことができる。このような動作によれば、浮体式液化天然ガス生産貯蔵積出設備１は、浮体式液化天然ガス生産貯蔵積出設備１からタンカーに液化ガスを積み出す作業の稼働率を向上させることができる。
【００５１】
なお、浮体式液化天然ガス生産貯蔵積出設備１は、右舷に適切に２隻のタンカーを係船することができるときに、その２隻のタンカーのうちの一方のタンカーにローディングアーム６−２を介して液化ガスを積み出し、その２隻のタンカーのうちの他方のタンカーにローディングアーム６−３を介して液化ガスを積み出すこともできる。この場合も、浮体式液化天然ガス生産貯蔵積出設備１は、同様にして、浮体式液化天然ガス生産貯蔵積出設備１からタンカーに液化ガスを積み出す作業の稼働率を向上させることができる。
【００５２】
図４は、本発明による浮体式液化天然ガス生産貯蔵積出設備の実施の他の形態を示している。その浮体式液化天然ガス生産貯蔵積出設備６１は、浮体６２とプラント６３と複数の液化ガスタンク６５−１〜６５−３と複数のローディングアーム６６−１〜６６−３と居住区６７とヘリポート６８と複数の救命艇６９−１〜６９−２とを備えている。浮体６２は、海洋に浮かぶ船体を形成し、プラント６３と複数の液化ガスタンク６５−１〜６５−３と複数のローディングアーム６６−１〜６６−３と居住区６７とヘリポート６８とをその海洋上に支持している。
【００５３】
プラント６３は、プラント３と同様にして、ガス田から採掘された天然ガスからコンデンセートと液化ガスとを生成する。複数の液化ガスタンク６５−１〜６５−３は、液化ガスタンク５−１〜５−３と同様にして、その液化ガスを液体の状態で貯蔵する。
【００５４】
複数のローディングアーム６６−１〜６６−３は、その液化ガスを輸送するタンカーが浮体式液化天然ガス生産貯蔵積出設備６１に係船されているときに、複数の液化ガスタンク６５−１〜６５−３により貯蔵された液化ガスをそのタンカーに供給する。複数のローディングアーム６６−１〜６６−３の各ローディングアーム６６−ｊは、ローディングアーム６−ｊと同様にして、その液化ガスを輸送するタンカーが浮体式液化天然ガス生産貯蔵積出設備６１に係船されているときに、そのタンカーに接続されることにより、複数の液化ガスタンク６５−１〜６５−３により貯蔵された液化ガスをそのタンカーに供給する。
【００５５】
居住区６７は、浮体式液化天然ガス生産貯蔵積出設備６１の乗員が待機する建家を形成している。ヘリポート６８は、ヘリコプターが離発着する離着陸場を形成している。そのヘリコプターは、浮体式液化天然ガス生産貯蔵積出設備６１の乗員が浮体式液化天然ガス生産貯蔵積出設備６１から退避することに利用される。複数の救命艇６９−１〜６９−２は、浮体式液化天然ガス生産貯蔵積出設備６１の乗員が浮体式液化天然ガス生産貯蔵積出設備６１から退避することに利用される。
【００５６】
浮体６２は、船首方向７０に長い形状に形成され、船首部分７１とプラント部分７２と中央部分７４とタンク部分７５と船尾部分７６とから形成されている。船首部分７１は、浮体６２の船首を形成し、浮体６２のうちの船首方向７０の端を形成している船尾部分７６は、浮体６２の船尾を形成し、浮体６２のうちの船首方向７０の反対方向の端を形成している。プラント部分７２は、船首部分７１と船尾部分７６との間に配置され、船首部分７１に接合されている。中央部分７４は、プラント部分７２と船尾部分７６との間に配置され、プラント部分７２に接合されている。タンク部分７５は、中央部分７４と船尾部分７６との間に配置され、中央部分７４に接合され、船尾部分７６に接合されている。
【００５７】
プラント６３は、プラント部分７２に支持されている。なお、プラント６３は、一部が中央部分７４に支持されることもできる。複数の液化ガスタンク６５−１〜６５−３は、タンク部分７５に支持されている。ローディングアーム６６−１は、浮体６２の左舷のうちのタンク部分７５に配置されている。ローディングアーム６６−２は、浮体６２の右舷のうちのタンク部分７５に配置されている。ローディングアーム６６−３は、浮体６２のうちのローディングアーム６６−２の船首側に配置され、浮体６２の右舷のうちの中央部分７４に配置されている。居住区６７とヘリポート６８と複数の救命艇６９−１〜６９−２とは、船首部分７１に支持されている。
【００５８】
浮体式液化天然ガス生産貯蔵積出設備６１は、図示されていない係留システムをさらに備えている。その係留システムは、船首部分７１に支持されている。その係留システムは、係留索を浮体６２の船首部分７１に保持させることにより、浮体６２を海底に係留する。
【００５９】
浮体式液化天然ガス生産貯蔵積出設備６１は、さらに、複数のエスケープルート７７−１〜７７−２をさらに備えている。エスケープルート７７−１は、浮体６２の左舷に沿って配置されている。エスケープルート７７−２は、浮体６２の右舷に沿って配置されている。救命艇６９−１は、船尾部分７６の左舷に配置され、エスケープルート７７−１の船尾部分７６の側の端に接続されている。救命艇６９−２は、船尾部分７６の右舷に配置され、エスケープルート７７−２の船尾部分７６の側の端に接続されている。
【００６０】
浮体式液化天然ガス生産貯蔵積出設備６１は、さらに、図５に示されているように、ポンプルーム８２とマシナリールーム８３とコンデンセートタンク８４とバラストタンク８５とを備えている。マシナリールーム８３は、マシナリールーム２３と同様にして、プラント６３及び浮体６２で消費される複数の用役をそれぞれ供給する複数の用役設備を備えている。ポンプルーム８２は、ポンプルーム２２と同様にして、プラント６３及び浮体で消費される用役を供給するための用役設備などが配置されている。コンデンセートタンク８４は、プラント６３により生産されるコンデンセートを貯蔵する。バラストタンク８５は、浮体６２の重量を増したり重量のバランスを取ったり曲げモーメントを軽減したりするためのバラストを積み込む。
【００６１】
浮体６２は、さらに、上甲板８１と下側甲板８０とを備えている。上甲板８１は、水平面に沿う板状に形成され、浮体６２の上部の概ね全体にわたって配置され、平坦な床を形成している。下側甲板８０は、水平面に沿う板状に形成され、上甲板８１の概ね全体の直下に配置され、平坦な床を形成している。プラント６３は、プラント部分７２の上甲板８１の上に配置されている。ローディングアーム６６−１〜６６−３は、上甲板８１の上に配置されている。居住区６７とヘリポート６８とは、船首部分７１の上甲板８１の上に配置されている。マシナリールーム８３とコンデンセートタンク８４とは、プラント部分７２の上甲板８１の下に配置され、プラント部分７２に支持されている。ポンプルーム８２とバラストタンク８５とは、中央部分７４の上甲板８１の下に配置され、中央部分７４に支持されている。液化ガスタンク６５−１〜６５−３は、それぞれ、タンク部分７５の上甲板８１の下と上とに配置され、タンク部分７５に支持されている。
【００６２】
複数のエスケープルート７７−１〜７７−２の各エスケープルート７７−ｉは、プラント側エスケープルート８６−ｉとタンク側エスケープルート８７−ｉと階段９１−ｉと建家９２−ｉと階段９４−ｉと建家９５−ｉとを備えている。
【００６３】
プラント側エスケープルート８６−ｉは、浮体６２のうちの船首部分７１とプラント部分７２と中央部分７４とに配置され、船首部分７１から中央部分７４までの通路を形成している。プラント側エスケープルート８６−１〜８６−２は、下側甲板８０の上に配置され、上甲板８１の下に配置され、浮体６２の内部に形成されている。すなわち、上甲板８１は、プラント側エスケープルート８６−１〜８６−２とプラント６３とを隔離している。
【００６４】
タンク側エスケープルート８７−ｉは、浮体６２のうちの中央部分７４とタンク部分７５と船尾部分７６とに配置され、中央部分７４から船尾部分７６までの通路を形成している。タンク側エスケープルート８７−１〜８７−２は、上甲板８１の上に配置され、浮体６２の外部に形成されている。このため、タンク側エスケープルート８７−１〜８７−２を通過する乗員は、プラント６３を目視することができる。
【００６５】
階段９１−ｉは、中央部分７４に配置され、プラント側エスケープルート８６−ｉと上甲板８１との間を乗員が移動することができるように、プラント側エスケープルート８６−ｉと上甲板８１とを接続している。建家９２−ｉは、中央部分７４の上甲板８１の上に配置されている。建家９２−ｉは、階段９１−ｉとプラント側エスケープルート８６−ｉとが雨風に曝されないように、建家９２−ｉの内部に階段９１−ｉが配置されるように形成されている。
【００６６】
階段９４−ｉは、船首部分７１に配置され、プラント側エスケープルート８６−ｉと上甲板８１との間を乗員が移動することができるように、プラント側エスケープルート８６−ｉと上甲板８１とを接続している。建家９５−ｉは、船首部分７１の上甲板８１の上に配置されている。建家９５−ｉは、階段９４−ｉとプラント側エスケープルート８６−ｉとが雨風に曝されないように、建家９５−ｉの内部に階段９４−ｉが配置されるように形成されている。
【００６７】
プラント側エスケープルート８６−１〜８６−２は、さらに、マシナリールーム８３にいる乗員がプラント側エスケープルート８６−１〜８６−２に移動することができるように、マシナリールーム８３に接続されている。
【００６８】
浮体式液化天然ガス生産貯蔵積出設備６１の乗員は、浮体式液化天然ガス生産貯蔵積出設備６１に火災等に例示される事故が発生したときに、エスケープルート７７−１〜７７−２を通って、居住区６７とヘリポート６８と複数の救命艇６９−１〜６９−２とに避難する。このようなエスケープルート７７−１〜７７−２は、既述の実施の形態におけるエスケープルート１７−１〜１７−２と同様にして、使い勝手が良い。
【００６９】
本発明による液化天然ガス生産貯蔵積出方法は、浮体式液化天然ガス生産貯蔵積出設備１の船首と船尾とを交換した浮体式液化天然ガス生産貯蔵積出設備６１を用いて実行されることができ、浮体式液化天然ガス生産貯蔵積出設備６１は、既述の実施の形態における浮体式液化天然ガス生産貯蔵積出設備１と同様にして、タンカーに液化ガスを積み出す作業の稼働率を向上させることができる。すなわち、浮体式液化天然ガス生産貯蔵積出設備６１は、タンカーに液化ガスを積み出すときに、そのタンカーが係船する位置の許容範囲を拡大することができ、または、接続口が配置される位置が互いに異なる様々なタンカーに液化ガスをより容易に積み出すことができる。浮体式液化天然ガス生産貯蔵積出設備６１は、さらに、複数のローディングアーム６６−２〜６６−３の両方を介して１隻のタンカーに液化ガスを同時に供給することにより、そのタンカーに液化ガスをより高速に供給することができる。浮体式液化天然ガス生産貯蔵積出設備６１は、複数のローディングアーム６６−２〜６６−３を複数のタンカーにそれぞれ接続することができ、その複数のタンカーに液化ガスを同時に積み出すことができる。
【符号の説明】
【００７０】
１  ：浮体式液化天然ガス生産貯蔵積出設備
２  ：浮体
３  ：プラント
５−１〜５−３：液化ガスタンク
６−１〜６−３：複数のローディングアーム
７  ：居住区
８  ：ヘリポート
９−１〜９−２：複数の救命艇
１０：船首方向
１１：船首部分
１２：タンク部分
１４：中央部分
１５：プラント部分
１６：船尾部分
１７−１〜１７−２：エスケープルート
２０：下側甲板
２１：上甲板
２２：ポンプルーム
２３：マシナリールーム
２４：コンデンセートタンク
２５：バラストタンク
２６−１〜２６−２：プラント側エスケープルート
２７−１〜２７−２：タンク側エスケープルート
３１−１〜３１−２：階段
３２−１〜３２−２：建家
３４−１〜３４−２：階段
３５−１〜３５−２：建家
４１：タンカー
４２−１〜４２−４：複数のタンク
４３−１〜４３−２：接続口
４４：係船索
４５：タンカー
４６−１〜４６−４：複数のタンク
４７−１〜４７−２：接続口
４８：係船索
６１：浮体式液化天然ガス生産貯蔵積出設備
６２：浮体
６３：プラント
６５−１〜６５−３：液化ガスタンク
６６−１〜６６−３：複数のローディングアーム
６７：居住区
６８：ヘリポート
６９−１〜６９−２：複数の救命艇
７０：船首方向
７１：船首部分
７２：プラント部分
７４：中央部分
７５：タンク部分
７６：船尾部分
７７−１〜７７−２：エスケープルート
８０：下側甲板
８１：上甲板
８２：ポンプルーム
８３：マシナリールーム
８４：コンデンセートタンク
８５：バラストタンク
８６−１〜８６−２：プラント側エスケープルート
８７−１〜８７−２：タンク側エスケープルート
９１−１〜９１−２：階段
９２−１〜９２−２：建家
９４−１〜９４−２：階段
９５−１〜９５−２：建家
【図１】
2011235675.tif 000003
【図２】
2011235675.tif 000004
【図３】
2011235675.tif 000005
【図４】
2011235675.tif 000006
【図５】
2011235675.tif 000007